(57)【要約】【課題】スイッチ基板の表面側から裏面側へ折り曲げてスイッチ基板に貼り付けようとする際に、空隙を生じないようにスイッチ基板に簡単に貼り付けることができる板ばね付き粘着シート、及びスイッチ装置の提供。【解決手段】可動接点３を保持するとともに、剥離シート７から剥がされてスイッチ基板１に貼り付けられる際に、スイッチ基板１の表面側１ｃから側部１ｄ，１ｆを経て裏面側１ｅに折り曲げられるカバーシート２であって、スイッチ基板１の側部１ｄ，１ｆの第１角部１ｄ１，１ｆ１と、第２角部１ｄ２，１ｆ２のそれぞれに対向する部分に、折り曲げ時のスイッチ基板１からの浮き上がりを抑える第１浮き上がり抑制手段４、第２浮き上がり抑制手段５を備え、第１角部１ｄ１，１ｆ１と第２角部１ｄ２，１ｆ２との間の部分に対向する位置に、側部１ｄ，１ｆへの貼り付けを可能にする粘着部２ｂを有する。【選択図】図１
2008027613.tif 000002
【特許請求の範囲】
【請求項１】
板ばねを保持するとともに、剥離シートに保持され、この剥離シートから剥がされてスイッチ基板に貼り付けられる際に、上記スイッチ基板の表面側から側部を経て裏面側に折り曲げられ、上記スイッチ基板の表面側及び裏面側に貼り付けられる板ばね付き粘着シートであって、
上記スイッチ基板の上記側部のこのスイッチ基板の表面側に位置する第１角部と、このスイッチ基板の上記側部のこのスイッチ基板の裏面側に位置する第２角部のそれぞれに対向する部分に、上記折り曲げ時の上記スイッチ基板からの浮き上がりを抑える浮き上がり抑制手段を備え、
上記スイッチ基板の上記側部の上記第１角部と上記第２角部との間の部分に対向する位置に、上記側部への貼り付けを可能にする粘着部を有することを特徴とする板ばね付き粘着シート。
【請求項２】
上記請求項１記載の板ばね付き粘着シートにおいて、
上記浮き上がり抑制手段が、凹部または孔部から成ることを特徴とする板ばね付き粘着シート。
【請求項３】
上記請求項２記載の板ばね付き粘着シートにおいて、
上記孔部が、上記スイッチ基板の上記側部の上記第１角部の長さ方向に沿って設けられる複数の孔を含む第１孔部と、上記スイッチ基板の上記側部の上記第２角部の長さ方向に沿って設けられる複数の孔を含む第２孔部とから成ることを特徴とする板ばね付き粘着シート。
【請求項４】
上記請求項３記載の板ばね付き粘着シートにおいて、
上記第１孔部を形成する複数の孔と、上記第２孔部を形成する複数の孔のそれぞれを、互いに千鳥状に配置したことを特徴とする板ばね付き粘着シート。
【請求項５】
上記請求項２項記載の板ばね付き粘着シートにおいて、
上記凹部が、上記スイッチ基板の上記側部の上記第１角部の長さ方向に沿って設けられる第１凹部と、上記スイッチ基板の上記側部の上記第２角部の長さ方向に沿って設けられる第２凹部とから成ることを特徴とする板ばね付き粘着シート。
【請求項６】
上記請求項５記載の板ばね付き粘着シートにおいて、
上記第１凹部と上記第２凹部のそれぞれを、上記スイッチ基板に貼り付けられる粘着部の反対側に位置する表面から、上記粘着部に達しないまでの深さに形成したことを特徴とする板ばね付き粘着シート。
【請求項７】
上記請求項５記載の板ばね付き粘着シートにおいて、
上記第１凹部と上記第２凹部のそれぞれが、複数に分割された凹部から成るとともに、上記第１凹部を形成する分割された凹部のそれぞれと、上記第２凹部を形成する分割された凹部のそれぞれを、互いに千鳥状に配置したことを特徴とする板ばね付き粘着シート。
【請求項８】
上記請求項２記載の板ばね付き粘着シートにおいて、
上記凹部及び上記孔部の該当するものの周縁部に盛り上がり部を形成したことを特徴とする板ばね付き粘着シート。
【請求項９】
上記請求項１記載の板ばね付き粘着シートにおいて、
上記浮き上がり抑制手段は、上記板ばねの一方の側に配置される第１浮き上がり抑制手段と、上記板ばねの他方の側に配置される第２浮き上がり抑制手段とから成ることを特徴とする板ばね付き粘着シート。
【請求項１０】
上記請求項１項記載の板ばね付き粘着シートにおいて、
上記スイッチ基板への位置決め用の孔を有することを特徴とする板ばね付き粘着シート。
【請求項１１】
中央固定接点及び周辺固定接点を有するスイッチ基板と、上記周辺固定接点に常時接触し、上記中央固定接点に選択的に接触する板ばねから成る可動接点を保持する板ばね付き粘着シートとを備え、
上記板ばね付き粘着シートは、
剥離シートに保持され、この剥離シートから剥がされて上記スイッチ基板に貼り付けられる際に、上記スイッチ基板の表面側から側部を経て裏面側に折り曲げられ、上記スイッチ基板の表面側及び裏面側に貼り付けられるものであって、
上記スイッチ基板の上記側部のこのスイッチ基板の表面側に位置する第１角部と、このスイッチ基板の上記側部のこのスイッチ基板の裏面側に位置する第２角部のそれぞれに対向する部分に、上記折り曲げ時の上記スイッチ基板からの浮き上がりを抑える浮き上がり抑制手段を備え、
上記スイッチ基板の上記側部の上記第１角部と上記第２角部との間の部分に対向する位置に、上記側部への貼り付けを可能にする粘着部を有することを特徴とするスイッチ装置。
【発明の詳細な説明】
【技術分野】
【０００１】
本発明は、板ばねを保持し、スイッチ基板に貼り付けられる際にスイッチ基板の裏面側まで折り曲げて貼り付けられる板ばね付き粘着シート、及びこの板ばね付き粘着シートが備えられるスイッチ装置に関する。
【背景技術】
【０００２】
この種の従来技術として、特許文献１に示されるものがある。この特許文献１には、板ばねを形成するドーム状の可動接点を保持し、フレキシブルプリント基板すなわちスイッチ基板の表面側から一方の側部を経て裏面側に折り曲げられて貼り付けられるカバーシート、及びスペーサシートから成る板ばね付き粘着シートを備えたスイッチ装置が示されている。このスイッチ装置のスイッチ基板上には、板ばね付き粘着シートのドーム状可動接点が常時接触する周辺固定接点と、ドーム状可動接点が選択的に接触する中央固定接点とが形成されている。
【特許文献１】特開２００６−１３９９５３公報
【発明の開示】
【発明が解決しようとする課題】
【０００３】
上述した従来技術にあって、板ばね付き粘着シートをスイッチ基板の表面側から裏面側に向かって折り曲げて、スイッチ基板に貼り付けようとする際に、板ばね付き粘着シートの腰の強さのために、スイッチ基板の側部付近において板ばね付き粘着シートがスイッチ基板から浮き上がり、板ばね付き粘着シートとスイッチ基板との間に空隙を生じやすい。上述した特許文献１におけるように、そのような空隙をドーム状可動接点の操作に伴う空気の流動路として活用する場合には、このような空隙は有効であるが、場合によっては、外部からの接点部分への塵埃等の侵入を防ぐために、上述のような空隙を生じさせることなく板ばね付き粘着シートをスイッチ基板に密着させたいことがある。
【０００４】
このような場合にあって、上述のように腰の強い板ばね付き粘着シートをスイッチ基板の表面側から裏面側に折り曲げ、しかもこの板ばね付き粘着シートをスイッチ基板の側部も含めて良好にスイッチ基板に貼り付けるためには、特許文献１に示される従来技術にあっては、板ばね付き粘着シートに対して強い押圧力を付与する手段を考慮する等が必要になり、この板ばね付き粘着シートのスイッチ基板に対する貼着作業が煩雑になりやすく、この貼着作業の能率が低下する懸念がある。これに伴って、この板ばね付き粘着シートが備えられるスイッチ装置の製作作業能率の向上も見込めなくなる。
【０００５】
本発明は、上述した従来技術における実状からなされたもので、その目的は、スイッチ基板の表面側から裏面側へ折り曲げてスイッチ基板に貼り付けようとする際に、空隙を生じないようにスイッチ基板に簡単に貼り付けることができる板ばね付き粘着シート、及この板ばね付き粘着シートを備えたスイッチ装置を提供することにある。
【課題を解決するための手段】
【０００６】
この目的を達成するために、本発明の板ばね付き粘着シートは、板ばねを保持するとともに、剥離シートに保持され、この剥離シートから剥がされてスイッチ基板に貼り付けられる際に、上記スイッチ基板の表面側から側部を経て裏面側に折り曲げられ、上記スイッチ基板の表面側及び裏面側に貼り付けられる板ばね付き粘着シートであって、上記スイッチ基板の上記側部のこのスイッチ基板の表面側に位置する第１角部と、このスイッチ基板の上記側部のこのスイッチ基板の裏面側に位置する第２角部のそれぞれに対向する部分に、上記折り曲げ時の上記スイッチ基板からの浮き上がりを抑える浮き上がり抑制手段を備え、上記スイッチ基板の上記側部の上記第１角部と上記第２角部との間の部分に対向する位置に、上記側部への貼り付けを可能にする粘着部を有することを特徴としている。
【０００７】
このように構成した本発明の板ばね付き粘着シートは、スイッチ基板の表面側から裏面側へ折り曲げてスイッチ基板に貼り付けるようにする際に、浮き上がり抑制手段によって、スイッチ基板の表面側と裏面側とに連設される側部の表面側の第１角部と裏面側の第２角部におけるこの板ばね付き粘着シートの浮き上がりを抑えることができる。また、スイッチ基板の側部の第１角部と第２角部との間の部分に対向する位置に形成したこの板ばね付き粘着シートの粘着部によって、この板ばね付き粘着シートを側部にも貼り付けることができる。すなわち、スイッチ基板の表面側と、側部と、裏面側とにわたって、この板ばね付き粘着シートとスイッチ基板との間に空隙を生じないように簡単に貼り付けることができる。
【０００８】
また、本発明の板ばね付き粘着シートは、上記発明において、上記浮き上がり抑制手段が、凹部または孔部から成ることを特徴としている。このように構成した本発明は、浮き上がり抑制手段を簡単に形成することができる。
【０００９】
また、本発明の板ばね付き粘着シートは、上記発明において、上記孔部が、上記スイッチ基板の上記側部の上記第１角部の長さ方向に沿って設けられる複数の孔を含む第１孔部と、上記スイッチ基板の上記側部の上記第２角部の長さ方向に沿って設けられる複数の孔を含む第２孔部とから成ることを特徴としている。このように構成した本発明は、スイッチ基板の側部の第１角部に対向する第１孔部と、スイッチ基板の側部の第２角部に対向する第２孔部とによって、板ばね付き粘着シートをスイッチ基板の表面側から裏面側に向かって簡単に折り曲げることができる。
【００１０】
また、本発明の板ばね付き粘着シートは、上記発明において、上記第１孔部を形成する複数の孔と、上記第２孔部を形成する複数の孔のそれぞれを、互いに千鳥状に配置したことを特徴としている。このように構成した本発明は、剥離シートから剥がす際に、この板ばね付き粘着シートを第１孔部あるいは第２孔部から千切れないようにすることができる。したがって、この板ばね付き粘着シートが貼り付けられるスイッチ基板の厚さを薄く設定する場合にも対応可能である。
【００１１】
また、本発明の板ばね付き粘着シートは、上記発明において、上記凹部が、上記スイッチ基板の上記側部の上記第１角部の長さ方向に沿って設けられる第１凹部と、上記スイッチ基板の上記側部の上記第２角部の長さ方向に沿って設けられる第２凹部とから成ることを特徴としている。このように構成した本発明は、スイッチ基板の側部の第１角部に対向する第１凹部と、スイッチ基板の側部の第２角部に対向する第２凹部とによって、板ばね付き粘着シートをスイッチ基板の表面側から裏面側に向かって簡単に折り曲げることができる。
【００１２】
また、本発明の板ばね付き粘着シートは、上記発明において、上記第１凹部と上記第２凹部のそれぞれを、上記スイッチ基板に貼り付けられる粘着部の反対側に位置する表面から、上記粘着部に達しないまでの深さに形成したことを特徴としている。このように構成した本発明は、粘着部の領域を大きく確保することができ、板ばね付き粘着シートの貼り付け強度を大きくすることができる。
【００１３】
また、本発明の板ばね付き粘着シートは、上記発明において、上記第１凹部と上記第２凹部のそれぞれが、複数に分割された凹部から成るとともに、上記第１凹部を形成する分割された凹部のそれぞれと、上記第２凹部を形成する分割された凹部のそれぞれを、互いに千鳥状に配置したことを特徴としている。このように構成した本発明は、剥離シートから剥がす際に、この板ばね付き粘着シートを第１凹部あるいは第２凹部から千切れないようにすることができる。したがって、この板ばね付き粘着シートが貼り付けられるスイッチ基板の厚さを薄く設定する場合に対応可能である。
【００１４】
また、本発明の板ばね付き粘着シートは、上記発明において、上記凹部及び上記孔部の該当するものの周縁部に盛り上がり部を形成したことを特徴としている。このように構成した本発明は、浮き上がり抑制手段を構成する凹部または孔部が盛り上がり部によって補強されるので、剥離シートから剥がす際に凹部または孔部から千切れないようにさせることができる。
【００１５】
また、本発明の板ばね付き粘着シートは、上記発明において、上記浮き上がり抑制手段は、上記板ばねの一方の側に配置される第１浮き上がり抑制手段と、上記板ばねの他方の側に配置される第２浮き上がり抑制手段とから成ることを特徴としている。このように構成した本発明は、スイッチ基板の一方の側部と他方の側部、及び裏面側のほぼ全域を、この板ばね付き粘着シートの貼り付け領域として活用できるので、スイッチ基板の細幅化に対応可能である。
【００１６】
また、本発明の板ばね付き粘着シートは、上記発明において、上記スイッチ基板への位置決め用の孔を有することを特徴としている。このように構成した本発明は、位置決め用の孔を介してこの板ばね付き粘着シートをスイッチ基板に精度よく貼り付けることができる。
【００１７】
また、本発明のスイッチ装置は、中央固定接点及び周辺固定接点を有するスイッチ基板と、上記周辺固定接点に常時接触し、上記中央固定接点に選択的に接触する板ばねから成る可動接点を保持する板ばね付き粘着シートとを備え、上記板ばね付き粘着シートは、剥離シートに保持され、この剥離シートから剥がされて上記スイッチ基板に貼り付けられる際に、上記スイッチ基板の表面側から側部を経て裏面側に折り曲げられ、上記スイッチ基板の表面側及び裏面側に貼り付けられるものであって、上記スイッチ基板の上記側部のこのスイッチ基板の表面側に位置する第１角部と、このスイッチ基板の上記側部のこのスイッチ基板の裏面側に位置する第２角部のそれぞれに対向する部分に、上記折り曲げ時の上記スイッチ基板からの浮き上がりを抑える浮き上がり抑制手段を備え、上記スイッチ基板の上記側部の上記第１角部と上記第２角部との間の部分に対向する位置に、上記側部への貼り付けを可能にする粘着部を有することを特徴としている。
【００１８】
このように構成した本発明のスイッチ装置は、板ばねから成る可動接点を押圧することにより、可動接点がスイッチ基板の中央固定接点に接触し、この可動接点を介してスイッチ基板の中央固定接点と周辺固定接点とが導通し、スイッチオンとなる。また、可動接点に加えていた押圧力を弱めることにより、可動接点が自身の復帰力によって中央固定接点から離れ、スイッチ基板の中央固定接点と周辺固定接点との間が遮断され、スイッチオフとなる。
【００１９】
また特に、板ばね付き粘着シートを、スイッチ基板の表面側から裏面側へ折り曲げてスイッチ基板に貼り付けようとする際に、浮き上がり抑制手段によって、スイッチ基板の表面側と裏面側とに連設される側部の表面側の第１角部と裏面側の第２角部におけるこの板ばね付き粘着シートの浮き上がりを防止できる。また、スイッチ基板の側部の第１角部と第２角部との間の部分に対向する位置に形成したこの板ばね付き粘着シートの粘着部によって、この板ばね付き粘着シートを側部にも貼り付けることができる。すなわち、スイッチ基板の表面側と、側部と、裏面側とにわたって、この板ばね付き粘着シートとスイッチ基板との間に空隙を生じないように簡単に貼り付けることができる。
【発明の効果】
【００２０】
本発明の板ばね付き粘着シート及びスイッチ装置は、スイッチ基板の側部の第１角部と第２角部のそれぞれに対向する部分に、板ばね付き粘着シートの折り曲げ時のスイッチ基板からの浮き上がりを抑える浮き上がり抑制手段を備え、スイッチ基板の側部の第１角部と第２角部との間の部分に対向する板ばね付き粘着シートの位置に、スイッチ基板の側部への貼り付けを可能にする粘着部を備えている。これにより、板ばね付き粘着シートをスイッチ基板の表面側から裏面側へ折り曲げてスイッチ基板に貼り付けようとする際に、板ばね付き粘着シートのスイッチ基板からの浮き上がりを押さえて、この板ばね付き粘着シートを空隙を生じないようにスイッチ基板に簡単に貼り付けることができ、板ばね付き粘着シートのスイッチ基板への貼着作業の能率を向上させることができる。これに伴って、板ばね付き粘着シートが備えられるスイッチ装置の製作作業の能率も向上させることができる。
【発明を実施するための最良の形態】
【００２１】
以下，本発明に係る板ばね付き粘着シート及びスイッチ装置を実施するための最良の形態を図に基づいて説明する。
【００２２】
［スイッチ装置の第１実施形態の構成］
図１は本発明に係るスイッチ装置の第１実施形態を示す図で、（ａ）図は平面図、（ｂ）図は（ａ）図のＡ−Ａ断面拡大図である。
【００２３】
この図１の（ｂ）図に示すように、スイッチ装置の第１実施形態は、中央固定接点１ａ及び周辺固定接点１ｂを有するスイッチ基板１と、周辺固定接点１ａに常時接触し、中央固定接点１ａに選択的に接触する板ばねから成るドーム状の可動接点３を保持する板ばね付き粘着シートの第１実施形態、例えばカバーシート２とを備えている。このカバーシート２は、スイッチ基板１の表面側１ｃから例えば一方の側部１ｄ、他方の側部１ｆを経て裏面側１ｅに折り曲げられ、スイッチ基板１の表面側１ｃ、側部１ｄ，１ｆ、及び裏面側１ｅに貼り付けられている。
【００２４】
［板ばね付き粘着シートの第１実施形態の構成］
図２は図１に示すスイッチ装置の第１実施形態に備えられる本発明に係る板ばね付き粘着シートの第１実施形態を示す平面図、図３は図２のＢ−Ｂ断面に相応する図で、（ａ）図は剥離シートに保持させた状態を示す断面図、（ｂ）図は（ａ）図のＣ部に示すカバーシートを拡大して示した図、図４は図２に示す第１孔部と第２孔部の配置関係を示す要部拡大平面図である。
【００２５】
上述した板ばね付き粘着シートの第１実施形態、すなわちカバーシート２は、図１に示すスイッチ基板１の側部１ｄ，１ｆそれぞれのこのスイッチ基板１の表面側１ｃに位置する第１角部１ｄ１，１ｆ１と、このスイッチ基板１の側部１ｄ，１ｆの裏面側１ｅに位置する第２角部１ｄ２，１ｆ２のそれぞれに対向する部分に、スイッチ基板１に貼り付ける際の折り曲げ時のスイッチ基板１からの浮き上がりを抑える浮き上がり抑制手段、例えば孔部から成る浮き上がり抑制手段を備えている。
【００２６】
この浮き上がり抑制手段は、例えば図２，３に示すように、板ばねから成る可動接点３の一方の側に配置される第１浮き上がり抑制手段４と、可動接点３の他方の側に配置される第２浮き上がり抑制手段とから成っている。
【００２７】
第１浮き上がり抑制手段４は、図１に示すスイッチ基板１の一方の側部１ｄの第１角部１ｄ１の長さ方向に沿って設けられる複数の貫通孔を含む第１孔部４ａと、スイッチ基板１の一方の側部１ｄの第２角部１ｄ２の長さ方向に沿って設けられる複数の貫通孔を含む第２孔部４ｂとから成っている。これらの第１孔部４ａを形成する複数の貫通孔と第２孔部４ｂを形成する複数の貫通孔とは、図４に示すように互いに千鳥状に配置してある。また、これらの第１孔部４ａを形成する複数の貫通孔は、例えばレーザ加工によって形成してあり、カバーシート２の表面から粘着面側に向かってレーザ光を照射することで図３の（ｂ）図に示すように、周縁部にレーザ加工に伴って溶融した環状の盛り上がり部４ａ１，４ｂ１がそれぞれ形成される。
【００２８】
第２浮き上がり抑制手段５も同様に、図１に示すスイッチ基板１の他方の側部１ｆの第１角部１ｆ１の長さ方向に沿って設けられる複数の貫通孔を含む第１孔部５ａと、スイッチ基板１の他方の側部１ｆの第２角部１ｆ２の長さ方向に沿って設けられる複数の貫通孔を含む第２孔部５ｂとから成っている。これらの第１孔部５ａを形成する複数の貫通孔と第２孔部５ｂを形成する複数の貫通孔とは、図示しないが千鳥状に配置してある。これらの第１孔部４ａを形成する複数の貫通孔、及び第２孔部４ｂを形成する複数の貫通孔も、レーザ加工によって形成してあり、図３の（ｂ）図に示したのと同様に、周縁部に環状の盛り上がり部をそれぞれ形成してある。
【００２９】
図２に示すカバーシート２は、図１に示すスイッチ基板１に組み付けられる以前にあっては、図３の（ａ）図に示すように、可動接点３が収容される収容部７ａを有する剥離シート７に保持されている。なお、カバーシート２の裏面には、図３の（ａ）図に示すように、可動接点３を保持する粘着部の他に、スイッチ基板１の表面側１ｃに貼り付け可能な粘着部２ａ、スイッチ基板１の一方の側部１ｄ、他方の側部１ｆに貼り付け可能な粘着部２ｂ、及びスイッチ基板１の裏面側１ｅに貼り付け可能な粘着部２ｃを形成してある。このようにカバーシート２は、スイッチ基板１の側部１ｄの第１角部１ｄ１と第２角部１ｄ２との間の部分に対向する位置、及びスイッチ基板１の側部１ｆの第１角部１ｆ１と第２角部１ｆ２との間の部分に対向する位置のそれぞれに、側部１ｄ，１ｆへの貼り付けを可能にする粘着部２ｂを有する。
【００３０】
また、カバーシート２には、図１，２に示すように、スイッチ基板１への位置決め用の孔６を形成してあり、この位置決め用の孔６に図示しない位置決めピンが挿入されることにより、カバーシート２はスイッチ基板１に対して位置決めされるようになっている。
【００３１】
また、図３の（ａ）図に示すように、剥離シート７に保護シート８が貼り付けられ、この保護シート８によってカバーシート２に保持された可動接点３を密封するように保たれている。例えば、カバーシート２をスイッチ基板１に組み付ける作業が開始されるまで、この図３の（ａ）図に示す状態で取り扱われるようになっている。
【００３２】
［板ばね付き粘着シートの第１実施形態のスイッチ基板への組み付け］
図３の（ａ）図に示すように保持されている板ばね付き粘着シート、すなわちカバーシート２をスイッチ基板１に組み付ける際には、カバーシート２が剥離シート７から剥がされ、スイッチ基板１上に配置され、カバーシート２の位置決め用の孔６に図示しない位置決めピンが挿入されて、カバーシート２がスイッチ基板１に対して位置決めされる。これにより、このカバーシート２に保持されている可動接点３がスイッチ基板１上の周辺固定接点１ｂに接触するように、また、可動接点３がスイッチ基板１上の中央固定接点１ａに対向するように配置される。
【００３３】
この状態で、カバーシート１の粘着部２ａがスイッチ基板１の表面側１ｃに貼り付けられる。次にスイッチ基板１の側部１ｄ，１ｆの第１角部１ｄ１，１ｆ１に対応する第１孔部４ａ，５ａでこのカバーシート１が折り曲げられ、このカバーシート１の粘着部２ｂのそれぞれがスイッチ基板１の側部１ｄ，１ｆに貼り付けられる。さらに、スイッチ基板１の側部１ｄ，１ｆの第２角部１ｄ２，１ｆ２に対応する第２孔部４ｂ，５ｂでこのカバーシート１が折り曲げられ、このカバーシート１の粘着部２ｃのそれぞれがスイッチ基板１の裏面側１ｅに貼り付けられる。これによって、図１の（ａ）、（ｂ）図に示すスイッチ装置が出来上がる。
【００３４】
［スイッチ装置の第１実施形態の操作］
図１に示す可動接点３に対応するカバーシート１の部分を押圧すると、可動接点３がスイッチ基板１の中央固定接点１ａに接触し、この可動接点３を介してスイッチ基板１の中央固定接点１ａと周辺固定接点１ｂとが導通し、スイッチオンとなる。また、可動接点３に加えていた押圧力を弱めることにより、可動接点３が自身の復帰力によって中央固定接点１ａから離れ、スイッチ基板１の中央固定接点１ａと周辺固定接点１ｂとの間が遮断され、スイッチオフとなる。
【００３５】
［板ばね付き粘着シートの第１実施形態、及びスイッチ装置の第１実施形態の効果］
以上のように構成した板ばね付き粘着シートの第１実施形態、及びスイッチ装置の第１実施形態によれば、カバーシート２をスイッチ基板１の表面側１ｃから裏面側１ｅへ折り曲げてスイッチ基板１に貼り付けようとする際に、第１浮き上がり抑制手段４を形成する第１孔部４ａ、第２孔部４ｂ、及び第２浮き上がり抑制手段５を形成する第１孔部５ａ、第２孔部５ｂによって、小さな抵抗力でスイッチ基板１の側部１ｄ，１ｆの第１角部１ｄ１，１ｆ１及び第２角部１ｄ２，１ｆ２に密着するように簡単に折り曲げることができ、これらの第１角部１ｄ１，１ｆ１及び第２角部１ｄ２，１ｆ２におけるカバーシート２の浮き上がりを抑えることができる。
【００３６】
また、スイッチ基板１の側部１ｄ，１ｆのそれぞれの第１角部１ｄ１，１ｆ１と、第２角部１ｄ２，１ｆ２との間の部分に対向する位置に形成したカバーシート２の粘着部２ｂのそれぞれによって、カバーシート２を側部１ｄ，１ｆのそれぞれに貼り付けることができる。すなわち、スイッチ基板１の表面側１ｃと、側部１ｄ，１ｆと、裏面側１ｅとにわたって、スイッチ基板１との間に空隙を生じないように簡単に貼り付けることができ、カバーシート２のスイッチ基板１への貼着作業の能率を向上させることができる。これに伴って、カバーシート２が備えられるスイッチ装置の製作作業能率も向上させることができる。
【００３７】
また、上述した板ばね付き粘着シートの第１実施形態によれば、浮き上がり抑制手段を、第１浮き上がり抑制手段４を構成する第１孔部４ａ、第２孔部４ｂ、及び第２浮き上がり抑制手段５を構成する第１孔部５ａ、第２孔部５ｂによって形成してあり、これらの第１孔部４ａ，５ａ、第２孔部４ｂ，５ｂは複数の貫通孔であるので簡単に形成でき、浮き上がり抑制手段を設けるための費用を安くすることができる。
【００３８】
また、第１孔部４ａ，５ａと第２孔部４ｂ，５ｂとによって、カバーシート２をスイッチ基板１の表面側１ｃから裏面側１ｅに向かって簡単に折り曲げることができ、カバーシート２のスイッチ基板１への貼着作業の能率向上に貢献する。
【００３９】
また、第１浮き上がり抑制手段４を形成する第１孔部４ａと第２孔部４ｂとを、また、第２浮き上がり抑制手段５を形成する第１孔部５ａと第２孔部５ｂとを、それぞれ互いに千鳥状に配置したことから、カバーシート２を剥離シート７から剥がす際に、カバーシート２を第１孔部４ａ，５ａあるいは第２孔部４ｂ，５ｂから千切れないようにすることができる。したがって、カバーシート２が貼り付けられるスイッチ基板１の厚さを薄く設定する場合にも対応可能であり、スイッチ装置の小型化を実現させることができる。
【００４０】
また、第１孔部４ａ，５ａの周縁部、及び第２孔部４ｂ，５ｂの周縁部に盛り上がり部４ａ１，４ｂ１等を形成したことから、これらの盛り上がり部４ａ１，４ｂ１等によって第１孔部４ａ，５ａ、第２孔部４ｂ，５ｂが補強され、剥離シート７からカバーシート２を剥がす際に、第１孔部４ａ，５ａ、第２孔部４ｂ，５ｂから千切れないようにすることができ、剥離時の強度を確保できる。
【００４１】
また、浮き上がり抑制手段が、板ばねから成る可動接点３の一方側に配置される第１浮き上がり抑制手段４と、可動接点３の他方の側に配置される第２浮き上がり抑制手段５とから成ることから、スイッチ基板１の両側部１ｄ，１ｆ及び裏面側１ｅのほぼ全域をカバーシート２の貼り付け領域として活用できるので、スイッチ基板１の細幅化に対応可能であり、スイッチ装置の小型化を実現させることができる。
【００４２】
また、カバーシート２がスイッチ基板１への位置決め用の孔６を有することから、この位置決め用の孔６を介してカバーシート２をスイッチ基板１に精度よく貼り付けることができ、カバーシート２の貼着作業能率の向上に貢献する。
【００４３】
［スイッチ装置の第２実施形態の構成及び板ばね付き粘着シートの第２実施形態の構成］
図５は本発明に係るスイッチ装置の第２実施形態を示す図で、（ａ）図は平面図、（ｂ）図は（ａ）図のＤ−Ｄ断面拡大図である。図６は図５に示すスイッチ装置の第２実施形態に備えられる本発明に係る板ばね付き粘着シートの第２実施形態を示す図で、（ａ）図は平面図、（ｂ）図は（ａ）図のＥ−Ｅ断面に相応する図で、剥離シートに保持させた状態を示す断面図である。
【００４４】
図５に示すスイッチ装置の第２実施形態、及び図６に示す板ばね付き粘着シートの第２実施形態は、板ばね付き粘着シートが、板ばねから成る可動接点３を保持するカバーシート２と、このカバーシート２に貼り付けられるスペーサシート９とから成っている。
【００４５】
スペーサシート９には、カバーシート２に保持された可動接点３が収容される収容部９ｄを形成してある。また、スペーサシート９は、図６の（ｂ）図に示すように、スイッチ基板１の表面側１ｃに貼り付け可能な粘着部９ａと、スイッチ基板１の側部１ｄ，１ｆのそれぞれに貼り付け可能な粘着部９ｂと、スイッチ基板１の裏面側１ｅに貼り付け可能な粘着部９ｃとを有しており、スイッチ基板１への組み付け以前にあっては剥離シート７に貼り付けられるようになっている。また、可動接点３の保護のために、剥離シート７に保護シート８が貼り付けられるようになっている。
【００４６】
図６の（ａ）図に示すように、カバーシート２は、図５に示すスイッチ基板１の側部１ｄ，１ｆそれぞれのスイッチ基板１の表面側１ｃに位置する第１角部１ｄ１，１ｆ１と、このスイッチ基板１の側部１ｄ，１ｆの裏面側１ｅに位置する第２角部１ｄ２，１ｆ２との間の部分に対向する位置に、スイッチ基板１に貼り付けられる際の折り曲げ時のスイッチ基板１からの浮き上がりを抑える浮き上がり抑制手段、例えば凹部から成る浮き上がり抑制手段を備えている。
【００４７】
この浮き上がり抑制手段は、図６に示すように、板ばねから成る可動接点３の一方の側に配置される第１浮き上がり抑制手段１０と、可動接点３の他方の側に配置される第２浮き上がり抑制手段１１とから成っている。
【００４８】
第１浮き上がり抑制手段１０は、図５に示すスイッチ基板１の一方の側部１ｄの第１角部１ｄ１の長さ方向に沿って設けられる直線状の第１凹部１０ａと、スイッチ基板１の一方の側部１ｄの第２角部１ｄ２の長さ方向に沿って設けられる直線状の第２凹部１０ｂとから成っている。第２浮き上がり抑制手段１１も同様に、図５に示すスイッチ基板１の他方の側部１ｆの第１角部１ｆ１の長さ方向に沿って設けられる直線状の第１凹部１１ａとスイッチ基板１の他方の側部１ｆの第２角部１ｆ２の長さ方向に沿って設けられる直線状の第２凹部１１ｂとから成っている。
【００４９】
上述した第１浮き上がり抑制手段１０を形成する第１凹部１０ａと第２凹部１０ｂ、及び第２浮き上がり抑制手段１１を形成する第１凹部１１ａと第２凹部１１ｂも、例えばレーザ加工によって形成してある。これにより、図示しないがそれぞれの周縁部に上述した図３の（ｂ）図に示したのと同様の盛り上がり部が形成されている。
【００５０】
また、上述した第１凹部１０ａ，１１ａ、第２凹部１０ｂ，１１ｂのそれぞれは、スイッチ基板１に貼り付けられるこのカバーシート２の粘着部の反対側に位置する表面から、粘着部に達しないまでの深さに形成してある。
【００５１】
なお、図５に示すように、スイッチ基板１には、可動接点３が常時接触する周辺固定接点１ｂと、可動接点３が選択的に接触する中央固定接点１ａとが設けられている。また、カバーシート２には、スイッチ基板１への位置決め用の孔６を形成してある。
【００５２】
［板ばね付き粘着シートの第２実施形態のスイッチ基板への組み付け］
図６の（ａ）図に示すように保持されているカバーシート２及びスペーサシート９から成る板ばね付き粘着シートをスイッチ基板１に組み付ける際には、カバーシート２とスペーサシート９とが一体に保持された状態で、スペーサシート９が剥離シート７から剥がされ、スイッチ基板１上に配置されて、位置決め用の孔６を介してカバーシート２及びスペーサシート９がスイッチ基板１に対して位置決めされる。これにより、カバーシート２に保持されている可動接点３がスイッチ基板１上の周辺固定接点１ｂに接触するように、また可動接点３がスイッチ基板１上の中央固定接点１ａに対向するように配置される。
【００５３】
この状態で、スペーサシート９の粘着部９ａがスイッチ基板１の表面側１ｃに貼り付けられる。次に、スイッチ基板１の側部１ｄ，１ｆの第１角部１ｄ１，１ｆ１に対応する第１凹部１０ａ，１１ａでカバーシート２及びスペーサシート９が折り曲げられ、スペーサシート９の粘着部９ｂのそれぞれがスイッチ基板１の側部１ｄ，１ｆに貼り付けられる。さらに、スイッチ基板１の側部１ｄ，１ｆの第２角部１ｄ２，１ｆ２に対応する第２凹部１０ｂ，１１ｂでカバーシート２及びスペーサシート９が折り曲げられ、スペーサシート９の粘着部９ｂのそれぞれがスイッチ基板１の裏面側１ｅに貼り付けられる。これによって図５の（ａ），（ｂ）図に示すスイッチ装置が出来上がる。
【００５４】
［スイッチ装置の第２実施形態の操作］
このスイッチ装置の第２実施形態の操作は、上述したスイッチ装置の第１実施形態の操作と同じであり、図１に示す可動接点３に対応するカバーシート２の部分を押圧すると、可動接点３がスイッチ基板１の中央固定接点１ａに接触し、この可動接点３を介してスイッチ基板１の中央固定接点１ａと周辺固定接点１ｂとが導通し、スイッチオンとなる。また、可動接点３に加えていた押圧力を弱めることにより、可動接点３が自身の復帰力によって中央固定接点１ａから離れ、スイッチ基板１の中央固定接点１ａと周辺固定接点１ｂとの間が遮断され、スイッチオフとなる。
【００５５】
［板ばね付き粘着シートの第２実施形態、及びスイッチ装置の第２実施形態の効果］
以上のように構成した板ばね付き粘着シートの第２実施形態、及びスイッチ装置の第２実施形態によれば、板ばね付き粘着シートを構成するカバーシート２及びスペーサシート９を、スイッチ基板１の表面側１ｃから裏面側１ｅへ折り曲げてスイッチ基板１に貼り付けようとする際に、第１浮き上がり抑制手段１０を形成する第１凹部１０ａ、第２凹部１０ｂ、及び第２浮き上がり抑制手段１１を形成する第１凹部１１ａ、第２凹部１１ｂによって、上述した第１実施形態におけるよりはスペーサシート９の折り曲げを要するので抵抗力は大きくなるものの、比較的小さな抵抗力で簡単に折り曲げることができ、スイッチ基板１の表面側１ｃと裏面側１ｅとに連設される側部１ｄ，１ｆのそれぞれの表面側１ｃの第１角部１ｄ１，１ｆ１と裏面側１ｅの第２角部１ｄ２，１ｆ２におけるカバーシート２及びスペーサシート９の浮き上がりを抑えることができる。
【００５６】
また、スイッチ基板１の側部１ｄ，１ｆのそれぞれの第１角部１ｄ１，１ｆ１と第２角部１ｄ２，１ｆ２との間の部分に対向する位置に形成したスペーサシート９の粘着部９ｂのそれぞれによって、カバーシート２及びスペーサシート９を側部１ｄ，１ｆのそれぞれにも貼り付けることができる。すなわち、スイッチ基板１の表面側１ｃと、側部１ｄ，１ｆと、裏面側１ｅとにわたって、スイッチ基板１との間に空隙を生じないように簡単に貼り付けることができ、カバーシート２及びスペーサシート９から成る板ばね付き粘着シートのスイッチ基板１への貼着作業の能率を向上させることができる。これに伴って、カバーシート２及びスペーサシート９が備えられるスイッチ装置の製作作業能率も向上させることができる。
【００５７】
また、上述した板ばね付き粘着シートの第２実施形態によれば、浮き上がり抑制手段を、第１浮き上がり抑制手段１０、第２浮き上がり抑制手段１１を形成する第１凹部１０ａ，１１ａ、第２凹部１０ｂ，１１ｂによって形成してあり、これらの第１凹部１０ａ，１１ａ、第２凹部１０ｂ，１１ｂは簡単に形成でき、浮き上がり抑制手段を設けるための費用を安くすることができる。
【００５８】
また、カバーシート２に形成される第１凹部１０ａ，１１ａと第２凹部１０ｂ，１１ｂとによって、カバーシート２及びスペーサシート９を比較的簡単に、スイッチ基板１の表面側１ｃから裏面側１ｅに向かって折り曲げることができ、カバーシート２及びスペーサシート９のスイッチ基板１への貼り付け作業の能率向上に貢献する。
【００５９】
また、図示しないが、カバーシート２に形成される第１凹部１０ａ，１１ａの周縁部、及び第２凹部１０ｂ，１１ｂの周縁部に盛り上がり部を形成したことから、この盛り上がり部によって第１凹部１０ａ，１１ａ、第２凹部１０ｂ，１１ｂが補強され、剥離シート７からカバーシート２を保持した状態でスペーサシート９を剥がす際に、第１凹部１ｏａ，１１ａ、第２凹部１０ｂ，１１ｂから千切れないようにすることができ、剥離時の強度を確保することができる。
【００６０】
また、カバーシート２に形成される第１凹部１０ａ，１１ａと第２凹部１０ｂ，１１ｂのそれぞれを表面から粘着部に達しないまでの深さに形成したことから、カバーシート２の粘着部の領域を大きく確保することができ、このカバーシート２の貼り付け強度を大きくすることができ、信頼性の高いスイッチ装置を実現できる。
【００６１】
また、浮き上がり抑制手段が、板ばねから成る可動接点３の一方の側に配置される第１浮き上がり抑制手段１０と、可動接点３の他方の側に配置される第２浮き上がり抑制手段１１とから成ることから、スイッチ基板１の両側部１ｄ，１ｆ、及び裏面側１ｅのほぼ全域を、スペーサシート９の貼り付け領域として活用できるので、スイッチ基板１の細幅化に対応可能であり、スイッチ装置の小型化を実現させることができる。
【００６２】
また、上述した第１実施形態におけるのと同様に、カバーシート２がスイッチ基板１への位置決め用の孔６を有することから、この位置決め用の孔６を介してカバーシート２及びスペーサシート９を、スイッチ基板１に精度よく貼り付けることができ、カバーシート２及びスペーサシート９の貼着作業の能率向上に貢献する。
【００６３】
［板ばね付き粘着シートの第３実施形態］
図７は本発明に係る板ばね付き粘着シートの第３実施形態の要部を拡大して示した平面図である。
【００６４】
図７に要部を示す第３実施形態は、上述した図６に示す板ばね付き粘着シートの第２実施形態において、第１浮き上がり抑制手段１０の直線状の第１凹部１０ａ、第２凹部１０ｂに代えて、複数に分割された凹部から成る第１凹部１０ａ１，１０ｂ１を設けたものである。図示しないが、第２浮き上がり抑制手段１１についても同様であり、直線状の第１凹部１１ａ、第２凹部１１ｂに代えて、複数に分割された凹部から成る第１凹部、第２凹部を設けた構成になっている。
【００６５】
第１浮き上がり抑制手段１０の第１凹部１０ａ１を構成する複数の分割された凹部と、第２凹部１０ｂ１を構成する複数の分割された凹部のそれぞれは互いに千鳥状に配置してある。第２浮き上がり抑制手段１１の第１凹部を構成する複数の分割された凹部と、第２凹部を構成する複数の分割された凹部のそれぞれも、図示しないが互いに千鳥状に配置してある。その他の構成は、図６に示す板ばね付き粘着シートの第２実施形態と同等である。
【００６６】
このように構成した第３実施形態は、特に、カバーシート２を保持したスペーサシート９を剥離シート７から剥がす際に、カバーシート２を第１凹部１０ａ１、第２凹部１０ｂ１等から千切れないようにすることができる。したがって、カバーシート２が貼り付けられるスイッチ基板１の厚さを薄くする場合にも対応可能であり、スイッチ装置の小型化を実現させることができる。
【００６７】
［板ばね付き粘着シート、及びスイッチ装置の他の実施形態］
上記各実施形態では、板ばね付き粘着シートをスイッチ基板１の両側部１ｄ，１ｆにおいて折り曲げて裏面側１ｅに貼り付けるように構成してあるが、例えば板ばね付き粘着シートをスイッチ基板１の一方の側部１ｄにおいてのみ折り曲げて、裏面側１ｅに貼り付け、スイッチ基板１の他方の側部１ｆ側においては折り曲げず、この他方の側部１ｆ側にあってはスイッチ基板１の表面側１ｃに貼り付ける構成にしてもよい。このように構成したものも、板ばね付き粘着シートとスイッチ基板１の一方の側部１ｄにおいて折り曲げる際には、浮き上がり抑制手段によって板ばね付き粘着シートのスイッチ基板１からの浮き上がりを抑えることができ、上述と同等の作用効果が得られる。
【００６８】
また、上記各実施形態では、板ばね付き粘着シートに保持される板ばねが、可動接点３から成っているが、本発明は、このように板ばねが可動接点３から成るものには限られない。この板ばねがクリック用板ばねから成るものであってもよい。
【００６９】
また、上記実施形態では、浮き上がり抑制手段を、板ばね付き粘着シートを折り曲げる幅方向の全幅にわたって形成してあるが、本発明は、このように構成することには限られない。例えば折り曲げる幅方向の両端のみに浮き上がり抑制手段を形成するようにしてもよい。このように構成したものも、折り曲げ部での密閉性を高めることができ、外部からの塵埃の進入を確実に防止することができる。
【図面の簡単な説明】
【００７０】
【図１】本発明に係るスイッチ装置の第１実施形態を示す図で、（ａ）図は平面図、（ｂ）図は（ａ）図のＡ−Ａ断面拡大図である。
【図２】図１に示すスイッチ装置の第１実施形態に備えられる本発明に係る板ばね付き粘着シートの第１実施形態を示す平面図である。
【図３】図２のＢ−Ｂ断面に相応する図で、（ａ）図は剥離シートに保持させた状態を示す断面図、（ｂ）図は（ａ）図のＣ部に示すカバーシートを拡大して示した図である。
【図４】図２に示す第１孔部と第２孔部の配置関係を示す要部拡大平面図である。
【図５】本発明に係るスイッチ装置の第２実施形態を示す図で、（ａ）図は平面図、（ｂ）図は（ａ）図のＤ−Ｄ断面拡大図である。
【図６】図５に示すスイッチ装置の第２実施形態に備えられる本発明に係る板ばね付き粘着シートの第２実施形態を示す図で、（ａ）図は平面図、（ｂ）図は（ａ）図のＥ−Ｅ断面に相応する図で、剥離シートに保持させた状態を示す断面図である。
【図７】本発明に係る板ばね付き粘着シートの第３実施形態の要部を拡大して示した平面図である。
【符号の説明】
【００７１】
１    スイッチ基板
１ａ  中央固定接点
１ｂ  周辺固定接点
１ｃ  表面側
１ｄ  側部
１ｄ１  第１角部
１ｄ２  第２角部
１ｅ  裏面側
１ｆ  側部
１ｆ１  第１角部
１ｆ２  第２角部
２    カバーシート（粘着シート）
２ｂ  粘着部
３    可動接点（板ばね）
４    第１浮き上がり抑制手段
４ａ  第１孔部
４ａ１  盛り上がり部
４ｂ  第２孔部
４ｂ１  盛り上がり部
５    第２浮き上がり抑制手段
５ａ  第１孔部
５ｂ  第２孔部
６    位置決め用の孔
７    剥離シート
９    スペーサシート（粘着シート）
９ｂ  粘着部
１０    第１浮き上がり抑制手段
１０ａ    第１凹部
１０ａ１  第１凹部
１０ｂ    第２凹部
１０ｂ１  第２凹部
１１    第２浮き上がり抑制手段
１１ａ  第１凹部
１１ｂ  第２凹部
【図１】
2008027613.tif 000003
【図２】
2008027613.tif 000004
【図３】
2008027613.tif 000005
【図４】
2008027613.tif 000006
【図５】
2008027613.tif 000007
【図６】
2008027613.tif 000008
【図７】
2008027613.tif 000009